(57)【要約】【課題】  ビニールハウスの棟方向に対して垂直方向に作用する力に対する強度を大きくすることが可能なビニールハウスを提供する。【解決手段】  骨組み１と、骨組み１に展張されるビニールシートとを備え、骨組み１は、棟方向に並ぶ複数の外フレーム１０，１０・・・と、棟方向に延びて外フレーム１０をつなぐ一本以上の横パイプ１１とを備えるビニールハウスＨにおいて、外フレーム１０の内側に配置される内フレーム２と、外フレーム１０と内フレーム２との間に当該各フレーム１０，２の軸方向に揺動可能に介装される複数の揺動軸３，３・・・とを備え、外フレーム１０と内フレーム２を軸方向にずらす力が作用したとき、揺動軸３，３・・・のうちの一本以上に引張方向の力が入力され、他の揺動軸３，３・・・のうちの一本以上に圧縮方向の力が入力されるように設定されている。【選択図】  図１
2015002729.tif 000002
【特許請求の範囲】
【請求項１】
骨組みと、この骨組みに展張されるビニールシートとを備え、上記骨組みは、所定の間隔をあけて棟方向に並ぶ複数の外フレームと、棟方向に延びて上記外フレームをつなぐ一本以上の横パイプとを備えるビニールハウスにおいて、
上記外フレームの内側に配置される内フレームと、上記外フレームと上記内フレームとの間に当該各フレームの軸方向に揺動可能に介装される複数の揺動軸とを備え、上記外フレームと上記内フレームを軸方向にずらす力が作用したとき、上記揺動軸うちの一本以上に引張方向の力が入力され、他の上記揺動軸のうちの一本以上に圧縮方向の力が入力されるように設定されていることを特徴とするビニールハウス。
【請求項２】
上記横パイプと平行に配置される補助横パイプを備えるとともに、上記横パイプと上記補助横パイプとの間にも、上記揺動軸が上記各パイプの軸方向に揺動可能に複数介装されており、上記横パイプと上記補助横パイプを軸方向にずらす力が作用したとき、上記横パイプと上記補助横パイプの間に介装される上記揺動軸のうちの一本以上に引張方向の力が入力され、他の上記揺動軸のうちの一本以上に圧縮方向の力が入力されるように設定されていることを特徴とする請求項１に記載のビニールハウス。
【請求項３】
上記外フレームは、地面に起立する一対の脚部と、これら脚部の間に架け渡される架設部とを備えており、上記外フレームの上記架設部の中心を上記横パイプのうちの一本がつなぐとともに、当該横パイプの下側に上記補助横パイプが配置されていることを特徴とする請求項２に記載のビニールハウス。
【請求項４】
上記外フレームは、地面に起立する一対の脚部と、これら脚部の間に架け渡される架設部とを備えており、上記脚部と上記架設部の境界部分を上記横パイプのうちの一本がつなぐとともに、当該横パイプの上側、下側あるいは内側に上記補助横パイプが配置されていることを特徴とする請求項２または請求項３に記載のビニールハウス。
【請求項５】
円弧状に湾曲し上記外フレーム、上記内フレーム、上記横パイプまたは上記補助横パイプに巻き付けられる抱持部とこの抱持部の両端から相対向して起立する一対の起立片とからなる連結体と、一方の上記起立片から他方の上記起立片にかけて挿通されるボルトと、このボルトに螺合するナットとを備えるとともに、上記揺動軸の両端部には、上記ボルトを挿通可能なボルト孔がそれぞれ形成されていることを特徴とする請求項１から請求項４の何れか一項に記載のビニールハウス。
【請求項６】
上記揺動軸のなかには、隣り合う上記揺動軸と二本で一組となるものがあり、当該組となる揺動軸は、それぞれ、上記外フレームと上記内フレームとの間、あるいは、上記横パイプと上記補助横パイプとの間に斜めに配置されており、上記組となる揺動軸の一方と他方が逆向きに傾斜していることを特徴とする請求項１から請求項５の何れか一項に記載のビニールハウス。
【請求項７】
上記組となる揺動軸は、その一方側端部を重ね合わせてＶ字状に配置されていることを特徴とする請求項６に記載のビニールハウス。
【請求項８】
上記ボルトには、当該ボルトから上記揺動軸と一方の上記起立片が抜け落ちることを防ぐ抜け止めワッシャが取り付けられていることを特徴とする請求項５から請求項７の何れか一項に記載のビニールハウス。
【請求項９】
上記揺動軸の中には、両端部に上記連結体がハトメ金具で揺動可能に連結されているものと、一端部にのみ上記連結体がハトメ金具で揺動可能に連結されているものがあることを特徴とする請求項５から請求項８の何れか一項に記載のビニールハウス。
【請求項１０】
上記ナットが上記連結体の他方の上記起立片に固定されていることを特徴とする請求項５から請求項９の何れか一項に記載のビニールハウス。
【請求項１１】
上記連結体の他方の上記起立片には、上記ナットの回り止めをする係合溝と、この係合溝に上記ボルトを案内するための切欠きが形成されていることを特徴とする請求項５から請求項９の何れか一項に記載のビニールハウス。
【請求項１２】
上記組となる揺動軸は、三つの上記連結体と、三本の上記ボルトと、三つの上記ナットと、三つの上記抜け止めワッシャとともに一続きの連結部材を構成しており、上記ボルトのうちの一本は、上記組となる揺動軸の重なり合う一方側端部に挿通され、他の上記ボルトは、上記組となる揺動軸の他方側端部に個別に挿通されることを特徴とする請求項１０または請求項１１に記載のビニールハウス。
【発明の詳細な説明】
【技術分野】
【０００１】
本発明は、ビニールハウスに関する。
【背景技術】
【０００２】
ビニールハウスは、農業や園芸用に利用されており、骨組みと、この骨組みに展張される合成樹脂製のビニールシートとを備えて構成されている。骨組みは、所定の間隔をあけて棟方向に並ぶ複数のフレームと、棟方向に延びてフレームをつなぐ複数の横パイプとを備えている。フレームは、一対の脚部と、これら脚部の間に架け渡される架設部とを備え、当該フレームの脚部でビニールハウスの側部を形成し、同架設部でビニールハウスの屋根部を形成している。
【０００３】
また、上記ビニールハウスの中には、積雪や突風に対する骨組みの強度を向上させるため、フレームの一部または全部を内外二重にしたものがある（例えば、特許文献１〜３）。当該従来の骨組みの補強方法によれば、図９（ａ）に示すように、外側に配置されるフレーム（以下、外フレーム１０という）と、内側に配置されるフレーム（以下、内フレーム２という）とを連結する複数の連結軸３００，３００・・・を備えている。これら連結軸３００，３００・・・は、それぞれ、外フレーム１０と内フレーム２に対して垂直になるように固定されている。
【先行技術文献】
【特許文献】
【０００４】
【特許文献１】特許第３９８６００２号公報
【特許文献２】特開２０１０−２２２２０号公報
【特許文献３】特開２０１２−２３９６９号公報
【発明の概要】
【発明が解決しようとする課題】
【０００５】
ここで、近年の豪雪や、爆弾低気圧による突風等により、例えば、図９中矢印Ｆ１，Ｆ２で示すような、ビニールハウスの棟方向に対して垂直方向に力が加わり、図９（ｂ）中二点鎖線で示すように、外フレーム１０と内フレーム２を変形させようとした場合、外フレーム１０には矢印Ｙ１方向の力が作用し、内フレーム２には矢印Ｙ１とは逆向きの矢印Ｙ２方向の力が作用するので、外フレーム１０と内フレーム２が軸方向にずれようとする。
【０００６】
しかしながら、上記従来の骨組みの補強方法によれば、外フレーム１０と内フレーム２を離間させようとする力に対する強度を大きくできるものの、外フレーム１０と内フレーム２を軸方向にずらそうとする力（図９（ｂ）中矢印Ｙ１，Ｙ２）に対する強度をそれほど大きくできない。このため、ビニールハウスの棟方向に対して垂直方向の力が作用した場合、従来の補強方法では強度不足となる虞がある。
【０００７】
そこで、本発明の目的は、ビニールハウスの棟方向に対して垂直方向に作用する力に対する強度を従来よりも大きくすることが可能なビニールハウスを提供することである。
【課題を解決するための手段】
【０００８】
上記課題を解決するための手段は、骨組みと、この骨組みに展張されるビニールシートとを備え、上記骨組みは、所定の間隔をあけて棟方向に並ぶ複数の外フレームと、棟方向に延びて上記外フレームをつなぐ一本以上の横パイプとを備えるビニールハウスにおいて、上記外フレームの内側に配置される内フレームと、上記外フレームと上記内フレームとの間に当該各フレームの軸方向に揺動可能に介装される複数の揺動軸とを備え、上記外フレームと上記内フレームを軸方向にずらす力が作用したとき、上記揺動軸うちの一本以上に引張方向の力が入力され、他の上記揺動軸のうちの一本以上に圧縮方向の力が入力されるように設定されていることである。
【発明の効果】
【０００９】
本発明のビニールハウスによれば、当該ビニールハウスの棟方向に対して垂直方向に作用する力に対する強度を大きくすることが可能となる。
【図面の簡単な説明】
【００１０】
【図１】本発明の第一の実施の形態に係るビニールハウスを簡略化して示した正面図である。
【図２】本発明の第一の実施の形態に係るビニールハウスを部分的に示した斜視図である。
【図３】本発明の第一の実施の形態に係るビニールハウスにおける連結部材を分解し、拡大して示した斜視図である。
【図４】図３の連結部材の取付過程を示した図である。
【図５】（ａ）は、本発明の第一の実施の形態に係るビニールハウスにおける組となる揺動軸の取り付け状態を簡略化して示した図である。（ｂ）は、組となる揺動軸の取り付け状態の第一の変形例を簡略化して示した図である。（ｃ）は、組となる揺動軸の取り付け状態の第二の変形例を簡略化して示した図である。（ｄ）は、組となる揺動軸の取り付け状態の第三の変形例を簡略化して示した図である。（ｅ）は、組となる揺動軸の取り付け状態の第四の変形例を簡略化して示した図である。（ｆ）は、組となる揺動軸の取り付け状態の第五の変形例を簡略化して示した図である。
【図６】本発明の第二の実施の形態に係るビニールハウスにおける連結部材を分解し、拡大して示した斜視図である。
【図７】本発明の第三の実施の形態に係るビニールハウスにおける連結部材を分解し、拡大して示した斜視図である。
【図８】図７の連結部材の取付過程を示した図である。
【図９】（ａ）は、従来のビニールハウスを簡略化して示した正面図である。（ｂ）は、（ａ）の要部を拡大し、ビニールハウスの棟方向に対して垂直方向に力が作用した場合における、外フレームと内フレームへの力のかかり方を説明した図である。
【発明を実施するための形態】
【００１１】
以下に本発明の第一の実施の形態に係るビニールハウスについて、図面を参照しながら説明する。いくつかの図面を通して付された同じ符号は、同じ部品か対応する部品を示す。
【００１２】
図１に示すように、本実施の形態に係るビニールハウスＨは、骨組み１と、この骨組み１に展張される図示しないビニールシートとを備え、上記骨組み１は、所定の間隔をあけて棟方向に並ぶ複数の外フレーム１０，１０・・・と、棟方向に延びて上記外フレーム１０，１０・・・をつなぐ一本以上の横パイプ１１とを備えている。さらに、ビニールハウスＨは、上記外フレーム１０の内側に配置される内フレーム２と、上記外フレーム１０と上記内フレーム２との間に当該各フレーム１０，２の軸方向に揺動可能に介装される複数の揺動軸３，３・・・とを備え、上記外フレーム１０と上記内フレーム２とを軸方向にずらす力が作用したとき、上記揺動軸３，３・・・のうちの一本以上に引張方向の力が入力され、他の上記揺動軸３，３・・・のうちの一本以上に圧縮方向の力が入力されるように設定されている。
【００１３】
以下、詳細に説明すると、上記ビニールハウスＨは、農業や園芸用に利用されている。図２に示すように、ビニールハウスＨの骨組み１を構成する外フレーム１０は、地面に起立する一対の脚部１０ａ，１０ｂと、これら脚部１０ａ，１０ｂの間に架け渡される架設部１０ｃとを備えて、アーチ状に形成されている。外フレーム１０とともに骨組みを構成する横パイプ１１は、外フレーム１０における脚部１０ａ，１０ｂの根本と、外フレーム１０における脚部１０ａ，１０ｂと架設部１０ｃの境界部分と、外フレーム１０において最も高い位置にある架設部１０ｃの中心にそれぞれ連結されており、棟方向に延びて同方向に並ぶ外フレーム１０を連結している。そして、骨組み１に展張されるビニールシートは、図示しないが、外フレーム１０の形状に倣って曲がるので、ビニールハウスＨもアーチ状になる。なお、ビニールハウスＨの形状は適宜変更することが可能であり、例えば、図示しないが、山形屋根を有する切妻型であってもよい。また、横パイプ１１でつなぐ外フレーム１０の位置や、外フレーム１０の間隔、横パイプ１１及び外フレーム１０の本数も適宜変更することが可能である。
【００１４】
本実施の形態において、外フレーム１０の内側には、五本おきに一本の内フレーム２が配置されている。当該内フレーム２も外フレーム１０と同様に、地面に起立する一対の脚部２ａ，２ｂと、これら脚部２ａ，２ｂの間に架け渡される架設部２ｃとを備えてアーチ状に形成されている。また、内フレーム２は、外フレーム１０よりも一回り小さく形成されており、外フレーム１０と内フレーム２との間に所定の間隔があくようになっている。なお、内フレーム２の設置間隔も適宜変更することが可能であり、全ての外フレーム１０の内側に内フレーム２を起立させるとしてもよい。
【００１５】
また、ビニールハウスＨの肩部に配置されて脚部１０ａ，１０ｂと架設部１０ｃの境界部分をつなぐ横パイプ１１と、ビニールハウスＨの屋根部の中心に配置されて架設部１０ｃの中心をつなぐ横パイプ１１の内側には、それぞれ、補助横パイプ４が横パイプ１１と平行に所定の間隔をあけて配置されており、これら補助横パイプ４は、棟方向の並ぶ内フレーム２をつないでいる。なお、補助横パイプ４を設ける位置も、適宜変更することが可能であり、例えば、ビニールハウスＨの肩部に配置される横パイプ１１の上側あるいは下側に補助横パイプ４を配置するとしてもよい。
【００１６】
外フレーム１０と内フレーム２との間と、横パイプ１１と補助横パイプ４との間には、それぞれ、複数本の揺動軸３，３・・・が揺動可能に介装されている。本実施の形態において、いずれの搖動軸３，３・・・も、同一形状を有し、図３に示すように、それぞれ、角を丸く切り落とした矩形の鉄製板材であり、各搖動軸３の両端部３ａ，３ｂには、それぞれ、肉厚を貫通する一対のボルト孔３０，３１が形成されている。これら揺動軸３の中には、二本で一組となって、一続きの連結部材Ｊ１を構成しているものがある。
【００１７】
連結部材Ｊ１は、一組の揺動軸３，３をフレーム１０，２やパイプ１１，４に取り付けるため、円弧状に湾曲する抱持部５０とこの抱持部５０の両端から相対向して起立する一対の起立片５１，５２とからなる三つの連結体５Ａ，５Ａ，５Ａと、これら連結体５Ａの一方の起立片５１から他方の起立５２片にかけてそれぞれ挿通されるボルト６，６，６と、各ボルト６にそれぞれ螺合されるナット７，７，７と、各ボルト６がそれぞれ挿通するワッシャＷ，Ｗ，Ｗ及び抜け止めワッシャ８，８，８とを備えて構成されている。両起立片５１，５２には、ボルト６が挿通するボルト孔５３，５４がそれぞれ形成されている。また、他方の起立片５２の外側面（図３中下側面）には、ボルト孔５４に合わせてナット７が固定され、ボルト６との共回りが防止されている。
【００１８】
連結部材Ｊ１を構成する一組の揺動軸３，３の一方側端部３ａ，３ａは、一つの連結体５Ａの一方の起立片５１に重ねて配置され、図３中上側に配置される揺動軸３の上側から他方の起立片５２にかけてボルト６が挿通される。また、図３中上側の揺動軸３の他方側端部３ｂは、他の連結体５Ａの一方の起立片５１に重ねて配置され、当該揺動軸３の上側から他方の起立片５２にかけてボルト６が挿通される。また、図３中下側の揺動軸３の他方側端部３ｂは、その他の連結体５Ａの一方の起立片５２に重ねて配置され、当該揺動軸３の上側から他方の起立片５１にかけてボルト６が挿通される。このようにすることで、各揺動軸３，３は、ボルト６の軸回りに回転することができ、フレーム１０，２やパイプ１１，４に対して軸方向に揺動可能となる。
【００１９】
また、一方の起立片５１から突出するボルト６の螺子軸６０には、それぞれ、抜け止めワッシャ８が係合されており、抜け止めワッシャ８とボルトヘッド６１との間にワッシャＷ、揺動軸３及び一方の起立片５１が配置されるようになっている。また、上記したように、ナット７が他方の起立片５２に固定されており、連結部材Ｊ１を構成する各部品が一続きとなっている。このようにすることで、組となる揺動軸３，３を取り付けるための部材を連結部材Ｊ１として一続きにすることができ、取り付け作業時に、揺動軸３、ボルト６、ナット７、ワッシャＷ等の部品が単独で落下したり不足したりする心配がなく、作業しやすい。
【００２０】
また、上記構成によれば、他方の起立片５２をボルト６から外すことができるので、抱持部５０の開口を広げて、図４に示すように、外フレーム１０、内フレーム２、横パイプ１１または補助横パイプ４（以下、外フレーム等１０，２，１１，４という）の外周に連結体５Ａの抱持部５０を巻き付け、抜け止めワッシャ８から突出するボルト６の突端端を、他方の起立片５２に挿通し、当該起立片５２に固定されるナット７にねじ込むことで、抱持部５０の開口を狭め、連結体５Ａを外フレーム等１０，２，１１，４に固定することができる。
【００２１】
そして、組となる揺動軸３，３の一方側端部３ａ，３ａは、一つの連結体５Ａを介してフレーム１０，２の一方、あるいは、パイプ１１，４の一方にまとめて連結される。他方、組となる揺動軸３，３の他方側端部３ｂ，３ｂは、軸方向に離間するとともに、それぞれ、連結体５Ａを介してフレーム１０，２の他方、あるいは、パイプ１１，４の他方に個別に連結されている。このため、組となる揺動軸３，３は、外フレーム１０と内フレーム２との間、あるいは、横パイプ１１と補助横パイプ４との間にＶ字状に配置される。また、各揺動軸３，３の他方側端部３ｂ，３ｂにそれぞれ連結される連結体５Ａ，５Ａの距離を接近させたり離間させたりして、搖動軸３，３がなす角度θを自由に変更することができる。したがって、外フレーム１０と内フレーム２との間隔や、横パイプ１１と補助横パイプ４の間隔が部分的に離間したり接近したりしていても、容易に取り付けることが可能となる。
【００２２】
このように、組となる搖動軸３，３がＶ字状に配置される場合、各揺動軸３，３は、フレーム１０，２やパイプ１１，４に対して斜めに配置されるとともに、組となる搖動軸３，３の一方と他方が逆向きに傾斜する。このようにすることで、例えば、外フレーム１０と内フレーム２、あるいは、横パイプ１１と補助横パイプ４を軸方向にずらす力が図５中矢印Ｙ１，Ｙ２方向に作用したとき、図５（ａ）中上側の搖動軸３には引張方向の力が入力され、図５（ａ）中下側の搖動軸３には圧縮方向の力が入力される。本実施の形態において、組となる搖動軸３，３は共に鉄で形成されており、引張方向の力に対する強度が大きいので、上記矢印Ｙ１，Ｙ２方向に加わる力に図５（ａ）中上側の搖動軸３で耐えることができる。また、上記矢印Ｙ１，Ｙ２の向きが逆になった場合には、入力される力の方向が逆向きになるので、図５（ａ）中下側の搖動軸３で耐えることができる。
【００２３】
以下、本実施の形態に係るビニールハウスＨの作用効果について説明する。
【００２４】
本実施の形態において、組となる揺動軸３，３は、三つの連結体５Ａと、三本のボルト６と、三つのナット７と、三つの抜け止めワッシャ９とともに一続きの連結部材Ｊ１を構成しており、上記ボルト６のうちの一本は、上記組となる揺動軸３，３の重なり合う一方側端部３ａ，３ａに挿通され、他の上記ボルト６，６は、上記組となる揺動軸３，３の他方側端部３ｂ，３ｂに個別に挿通される。
【００２５】
上記構成によれば、外フレーム１０と内フレーム２との間、あるいは、横パイプ１１と補助横パイプ４との間に、組となる揺動軸３，３をＶ字状に取り付ける時に、必要な部品が連結部材Ｊ１として一続きになっているので、連結部材Ｊ１を構成する揺動軸３、ボルト６、ナット７等の部品が単独で落下したり不足したりする心配がなく、作業しやすい。なお、必ずしも揺動軸３やボルト６やナット７を連結部材Ｊ１として一続きにしてから骨組み１に取り付けなくてもよい。
【００２６】
また、本実施の形態において、ナット７は、連結体５Ａの他方の起立片５２に固定されている。
【００２７】
上記構成によれば、ナット７が他方の起立片５２から離れないので、取り付け作業時におけるナット７の落下や不足の心配がない。また、ナット７が他方の起立片５２と相対回転しないので、ボルト６と共回りしないようにナット７を押さえる必要がなく、作業性がよい。なお、ナット７の固定方法は適宜変更することが可能であり、例えば、ナット７と他方の起立片５２が一体形成されるとしてもよく、他方の起立片５２のボルト孔５４に螺子溝を設け、他方の起立片５２自体をナット７として機能させるとしてもよい。しかし、ナット７を他方の起立片５２に固定しなくてもよく、分解して取り扱う場合には、汎用品のナットをそのまま利用することができる。
【００２８】
また、本実施の形態において、ボルト６には、ボルト６から揺動軸３と一方の起立片５１が抜け落ちることを防ぐ抜け止めワッシャ８が取り付けられている。
【００２９】
上記構成によれば、抜け止めワッシャ８により、連結体５Ａと搖動軸３とをボルト６に連ねた状態に維持することができるので、取り付け作業時におけるボル６の落下や不足の心配がない。また、他方の起立片５２は、ボルト６から外して一方の起立片５１から離すことができるので、連結体５Ａが搖動軸３に連なっていても、外フレーム等１０，２，１１，４に抱持部５０を巻きつけることが容易である。しかし、抜け止めワッシャ８を必ずしも設ける必要はなく、抜け止めワッシャ８を廃する場合には、部品数を少なくすることが可能となる。
【００３０】
また、本実施の形態において、組となる揺動軸３，３は、その一方側端部３ａ，３ａを重ね合わせてＶ字状に配置されている。
【００３１】
上記構成によれば、組となる搖動軸３，３を外フレーム１０と内フレーム２との間、あるいは、横パイプ１１と補助横パイプ４との間に取り付けるための連結体５Ａを三つにすることができ、ビニールハウスＨを構成する部品数を少なくすることが可能となる。なお、組となる搖動軸３，３の配置形状は、上記の限りではなく、例えば、図５（ｂ）に示すように八字状に配置されるとしても、図５（ｃ）に示すようにＸ字状に配置されるとしてもよい。
【００３２】
また、本実施の形態において、揺動軸３，３・・・のなかには、隣り合う揺動軸と二本で一組となる搖動軸３，３があり、当該組となる搖動軸３，３は、それぞれ、外フレーム１０と内フレーム２との間、あるいは、横パイプ１１と補助横パイプ４との間に斜めに配置されており、組となる搖動軸３，３の一方と他方が逆向きに傾斜している。
【００３３】
上記構成によれば、組となる搖動軸３，３の一方に引張方向の力が入力されたとき、組となる揺動軸３，３の他方に圧縮方向の力が入力されるようになる。しかし、組となる搖動軸３，３・・・のうちの何れかに引張方向の力が入力されたとき、他の揺動軸３，３・・・に圧縮方向の力が入力されるように設定されていればよく、例えば、図５（ｄ）に示すように、傾斜方向の異なる揺動軸３，３・・・が外フレーム等１０，２，１１，４に沿って連続して設けられるとしてもよく、図５(ｅ)に示すように、三本で一組となる搖動軸３，３，３を備えるとしてもよく、図５（ｆ）に示すように、二本で一組となる搖動軸３，３の一方が他方に搖動可能に連結されるとしてもよい。
【００３４】
また、本実施の形態において、ビニールハウスＨは、円弧状に湾曲し外フレーム１０、内フレーム２、横パイプ１１または補助横パイプ４（外フレーム等１０，２，１１，４）に巻き付けられる抱持部５０とこの抱持部５０の両端から相対向して起立する一対の起立片５１，５２とからなる連結体５Ａと、一方の上記起立片５１から他方の上記起立片５２にかけて挿通されるボルト６と、このボルト６に螺合するナット７とを備えるとともに、上記揺動軸３，３・・・の両端部３ａ，３ｂには、上記ボルト６を挿通可能なボルト孔３０，３１がそれぞれ形成されている。
【００３５】
上記構成によれば、外フレーム等１０，２，１１，４に抱持部５０を巻き付けた後、ボルト６とナット７で抱持部５０の開口を狭めて、抱持部５０を外フレーム等１０，２，１１，４に固定できるので、外フレーム等１０，２，１１，４の外径にバラツキがあったとしても、同じ連結体５Ａを利用することができる。また、揺動軸３と連結体５Ａとがピン接合となり、揺動軸３を外フレーム等１０，２，１１，４に容易に揺動可能に連結することができる。
【００３６】
また、上記構成によれば、骨組み１にビニールシートを展張した後でも、外フレーム等１０，２，１１，４に搖動軸３を連結できるので、既存のビニールハウスＨの補強用に適している。しかし、搖動軸３と外フレーム等１０，２，１１，４との連結方法は上記の限りではなく、適宜変更することができる。
【００３７】
また、本実施の形態において、外フレーム１０は、地面に起立する一対の脚部１０ａ，１０ｂと、これら脚部１０ａ，１０ｂの間に架け渡される架設部１０ｃとを備えており、上記脚部１０ａ，１０ｂと上記架設部１０ｃの境界部分を横パイプ１１のうちの一本がつなぐとともに、当該横パイプ１１の内側に補助横パイプ４が配置されている。
【００３８】
上記構成によれば、ビニールハウスＨの肩部を補強し、特に、ビニールハウスＨの側部及び妻面に対して垂直方向に加わる力に対する強度を大きくすることができる。しかし、ビニールハウスＨの肩部を補強する横パイプ１１の上側あるいは下側に補助横パイプ４を配置するとしてもよく、この場合には、ビニールハウスＨの屋根部に鉛直方向に加わる力や妻面に対して垂直方向に加わる力に対する強度を大きくすることができる。また、本実施の形態においては、補助横パイプ４と内フレーム２が連結されているので、更にビニールハウスＨの強度を向上させることができるが、補助横パイプ１１が横パイプ４の上側あるいは下側に配置される場合には、補助横パイプ１１を外フレーム１０に連結することで同様の効果を得ることができる。
【００３９】
また、本実施の形態において、外フレーム１０は、地面に起立する一対の脚部１０ａ，１０ｂと、これら脚部１０ａ，１０ｂの間に架け渡される架設部１０ｃとを備えており、上記架設部１０ｃの中心を横パイプ１１のうちの一本がつなぐとともに、当該横パイプ１１の下側に上記補助横パイプ４が配置されている。
【００４０】
上記構成によれば、ビニールハウスＨの屋根部の中心を補強し、特に、ビニールハウスＨの屋根部に鉛直方向に加わる力や妻面に対して垂直方向に加わる力に対する強度を大きくすることができる。しかし、補助横パイプ１１を設ける位置は、適宜変更することが可能である。
【００４１】
また、本実施の形態において、ビニールハウスＨは、横パイプ１１と平行に配置される補助横パイプ４を備えるとともに、上記横パイプ１１と上記補助横パイプ４との間にも、揺動軸３，３・・・が上記各パイプ１１，４の軸方向に揺動可能に複数介装されており、上記横パイプ１１と上記補助横パイプ４を軸方向にずらす力が作用したとき、上記横パイプ１１と上記補助横パイプ４の間に介装される上記揺動軸３，３・・・のうちの一本以上に引張方向の力が入力され、他の上記揺動軸３，３・・・のうちの一本以上に圧縮方向の力が入力されるように設定されている。
【００４２】
上記構成によれば、補助横パイプ４でも骨組み１を補強することができ、ビニールハウスＨの強度を向上させることができる。また、内フレーム２で骨組み１を補強する場合と同様に、搖動軸３，３・・・を利用しているので、骨組み１を補強するための部品の種類が増えることを抑制できる。また、各揺動軸３，３・・・がパイプ１１，４の軸方向に揺動可能であることから、横パイプ１１と補助横パイプ４の間隔が一定でない場合においても、揺動軸３，３・・・の横パイプ１１と補助横パイプ４に対する角度を任意に変更して、両パイプ１１，４の間に介装することができる。しかし、必ずしも補助横パイプ４で骨組み１を補強しなくてもよい。
【００４３】
また、本実施の形態において、ビニールハウスＨは、骨組み１と、この骨組み１に展張される図示しないビニールシートとを備え、上記骨組み１は、所定の間隔をあけて棟方向に並ぶ複数の外フレーム１０と、棟方向に延びて上記外フレーム１０をつなぐ一本以上の横パイプ１１とを備えている。さらに、ビニールハウスＨは、上記外フレーム１０の内側に配置される内フレーム２と、上記外フレーム１０と上記内フレーム２との間に当該各フレーム１０，２の軸方向に揺動可能に介装される複数の揺動軸３，３・・・とを備え、上記外フレーム１０と上記内フレーム２を軸方向にずらす力が作用したとき、上記揺動軸３，３・・・うちの一本以上に引張方向の力が入力され、他の上記揺動軸３，３・・・のうちの一本以上に圧縮方向の力が入力されるように設定されている。
【００４４】
上記構成によれば、ビニールハウスＨの棟方向に対して垂直方向に作用する力に対する強度を大きくすることができるので、豪雪により屋根部に鉛直方向に力（図１中Ｆ１）が加わったり、爆弾低気圧による突風等が側部に垂直方向に当たったり（図１中Ｆ２）したとしても、これらの力に対する強度を充分に大きくすることができる。
【００４５】
また、各揺動軸３，３・・・が揺動可能であることから、外フレーム１０と内フレーム２の間隔が一定でない場合においても、揺動軸３，３・・・の外フレームと内フレーム２に対する角度を任意に変更して、両フレーム１０，２の間に介装することができる。特に、既存のビニールハウスＨの骨組み１に内フレーム２を後付けする場合には、外フレーム１０と内フレーム２の間隔を一定にすることが難しいので、上記構成にすることが有効である。
【００４６】
つづいて、本発明の第二の実施の形態に係るビニールハウスについて、図面を参照しながら説明する。本実施の形態に係るビニールハウスの基本構成は、第一の実施の形態に係るビニールハウスＨと同様であるので、第一の実施の形態と同様の構成については、同一符号を付して詳細な説明を省略する。
【００４７】
本実施の形態において、ビニールハウスを構成する複数の揺動軸３，３・・・の中には、図６中下側に示すように、両端部３ａ，３ｂにカシメ金具９で連結体５Ａ，５Ａが揺動可能に連結されてこれら連結体５Ａ，５Ａとともに第一揺動部材ｊ２０を構成する揺動軸３と、図６中上側に示すように、一端部（本実施の形態においては、他方側端部３ｂ）にのみ加締め金具９で連結体５Ａが揺動可能に連結されて当該連結体５Ａとともに第二揺動部材ｊ２１を構成する揺動軸３がある。カシメ金具９は、揺動軸３に形成されるボルト孔（図３中符号３０，３１参照）から連結体５Ａの一方の起立片５１に形成されるボルト孔（図３中符号５３参照）にかけて嵌合しているが、環状に形成されているので、各ボルト孔を塞がず、カシメ金具９の中心にボルト６を挿通できるようになっている。
【００４８】
上記構成を備えることにより、例えば、組となる搖動軸３，３を図５（ａ）に示すようにＶ字状に配置する場合、第一、第二揺動部材ｊ２０，ｊ２１と、連結体５Ａの一方の起立片５１から他方の起立５２片にかけてそれぞれ挿通されるボルト６，６，６と、各ボルト６にそれぞれ螺合されるナット７，７，７と、各ボルト６がそれぞれ挿通するワッシャＷ，Ｗ，Ｗ及び抜け止めワッシャ８，８，８とで一続きの連結部材Ｊ２を構成するとすればよい。
【００４９】
また、上記構成を備えることにより、組となる揺動軸３，３を図５（ｂ）に示すように八字状に配置したり、図５（ｃ）に示すようにＸ字状に配置したりする場合には、第一揺動部材ｊ２０のみを利用すればよく、図５（ｄ）に示すように、組となる揺動軸３，３を連続してジグザグにつなぐ場合には、第二揺動部材ｊ２１のみを利用すればよい。つまり、上記二種類の揺動部材ｊ２０，ｊ２１を備えることにより、部分的に組となる揺動軸３，３の配置形態を変えようとした場合に便利である。
【００５０】
つづいて、本発明の第三の実施の形態に係るビニールハウスについて、図面を参照しながら説明する。本実施の形態に係るビニールハウスの基本構成は、第一の実施の形態に係るビニールハウスＨと同様であるので、第一の実施の形態と同様の構成については、同一符号を付して詳細な説明を省略する。
【００５１】
図７に示すように、本実施の形態に係る連結部材Ｊ３は、第一の実施の形態と同様に、一続きとなる二本で一組の揺動軸３，３と、円弧状に湾曲する抱持部５０とこの抱持部５０の両端から相対向して起立する一対の起立片５１，５２とからなる三つの連結体５Ｂ，５Ｂ，５Ｂと、これら連結体５Ｂの一方の起立片５１から他方の起立５２片にかけてそれぞれ挿通されるボルト６，６，６と、各ボルト６にそれぞれ螺合されるナット７，７，７と、各ボルト６がそれぞれ挿通するワッシャＷ，Ｗ，Ｗとを備えて構成されている。そして、他方の起立片５２には、第一の実施の形態と異なり、ナット７を回り止めする係合溝５５と、この係合溝５５にボルト６の螺子軸６０を案内するための切欠き５６が形成されている。
【００５２】
このようにすることで、図８に示すように、ボルト６にナット７を螺合していても、ボルト６の螺子軸６０を切欠き５６から係合溝５５に挿入し、係合溝５５にナット７を係合してボルト６との共回りを防ぎ、当該ナット７にボルト６をねじ込むことで連結体５Ｂを外フレーム等１０，２，１１，４に固定することができる。そして、ボルト６にナット７を螺合している状態では、ボルト６から揺動軸３、ワッシャＷ及び一方の起立片５１が外れないので、抜け止めワッシャ８を利用することなく、連結部材Ｊ３を構成する各部品を一続きにすることができる。
【００５３】
なお、本実施の形態においても第二の実施の形態と同様に、揺動軸３の両端部３ａ，３ｂあるいは一端部（３ａまたは３ｂ）に連結体５Ｂを揺動可能に連結するとしてもよい。
【００５４】
以上、本発明の好ましい実施の形態を詳細に説明したが、特許請求の範囲から逸脱することなく改造、変形及び変更を行うことができることは理解すべきである。
【符号の説明】
【００５５】
Ｈ  ビニールハウス
１  骨組み
２  内フレーム
３  揺動軸
３ａ，３ｂ  揺動軸の端部
４  補助横パイプ
５Ａ，５Ｂ  連結体
６  ボルト
７  ナット
８  抜け止めワッシャ
９  ハトメ金具
１０  外フレーム
１０ａ，１０ｂ  脚部
１０ｃ  架設部
１１  横パイプ
３０，３１  ボルト孔
５０  抱持部
５１，５２  起立片
５５  係合溝
５６  切欠き
【図１】
2015002729.tif 000003
【図２】
2015002729.tif 000004
【図３】
2015002729.tif 000005
【図４】
2015002729.tif 000006
【図５】
2015002729.tif 000007
【図６】
2015002729.tif 000008
【図７】
2015002729.tif 000009
【図８】
2015002729.tif 000010
【図９】
2015002729.tif 000011